(57)【要約】      （修正有）【課題】ポールが簡単な操作で確実に佇立でき、人の接触によっては移動することのないポール立て装置を提供する。【解決手段】上面にポール３を立てる基部材１下面にフック部を設けると共に、下端に押圧部をもつねじ部材を前記基部材下面に周囲に等分して設け、前記フック部を取り付け面の固定部７に掛け、以って前記ねじ部材にて前記取付け面を押圧固定してポールを立てることを特徴とし、ポールを立てる準備が簡単、確実になるばかりでなく、ねじ部材による取り付け面の押圧固定が容易且つ確実となる。【選択図】図３
0003171997.tif 000002
【実用新案登録請求の範囲】
【請求項１】
艦船の甲板等に一定配置を以って設置されたタイダウンホールと、これに下端を仮保持して立設するポール機構と、該ポール機構の不使用時前記ホールを仮固定的に覆うホールキャップとから成ることを特徴とするポール立設及び撤去時安全装置。
【請求項２】
前記キャップの外し棒を備え、該外し棒を差し込む穴を前記ホールキャップに形成した請求項１記載のポール立設及び撤去時安全装置。
【考案の詳細な説明】
【技術分野】
【０００１】  この考案は、柱状体（ポール）を適宜間隔に立ててその頂部又はその付近にて鎖などを張り、一定面積を仮に区切って人の出入りを比較的強く一時的に阻止するに適した、ポール立て装置に関する。
【背景技術】
【０００２】  人の移動を一時的に規制するため、柱状体（ポール）を一定間隔に立て、その各頂部又はその付近にて鎖またはロープで連結するものがある。これにはポールの下部を、重しとなるプラスティック製またはコンクリート製ブロックに立てたものなどがあり、設置、移動の容易さを重視すればあまり大型のものは使用できず、しかし、小型のものでは人の接触によってポールが移動する可能性があり、強い規制ができない。【０００３】  背の高くなる野菜等のため支柱をプランタ内に支持するものとして、例えば特開２００３−９２９３０号公報に示されたものがある。【０００４】  これは、支柱の下端付近を抱持する筒状内側（３）の下端を移動器具（３ａ）としてプランタ本体（１）と止め金器具（４）の隙間に挿入し、移動器具（３ａ）を固定具（１４）でプランタ本体（１）に固定し得るようにし、取っ手（５）を設けたものである。なお、（  ）を付した符号は前記特開２００３−９２９３０号公報に使用された符号を表し、以下同様とする。【０００５】  しかし、これはプランタ本体（１）内に当然土壌が充填されることにより全体が安定するものであり、単に支柱の下端付近を抱持する筒状内側（３）の下端を移動器具（３ａ）としてプランタ本体（１）と止め金器具（４）の隙間に挿入し、移動器具（３ａ）を固定具（１４）でプランタ本体（１）に固定し得るようにしたものでは、人の接触による支柱の移動、転倒の可能性は免れない。【特許文献１】特開２００３−９２９３０号公報
【考案の開示】
【考案が解決しようとする課題】
【０００６】  よって、本考案はポールが簡単な操作で確実に佇立でき、人の接触によっては移動することのないポール立て装置を提供することを考案の課題とするものである。
【課題を解決するための手段】
【０００７】  前記課題を解決するため本考案は、上面にポールを立てる基部材下面にフック部を設けるとともに。下端に押圧部をもつねじ部材を前記基部材下面に周囲に等分して設け、前記フック部を取付け面の固定部に掛け、以って前記ねじ部材にて前記取付け面を押圧固定してポールを立てることを特徴とするポール立て装置である。【０００８】    そして、前記フック部は１以上の引掛け形状を備え、且つ前記固定部がフック部に対応する一本または十字の棒材からなるものでもよい。【０００９】    また、前記フック部が二枚の平板を十字に組み合わせた形状を備え、且つ前記固定部がフックに対応して板材に形成した十字の穴からなるものでもよい。【００１０】  更に前記フック部が一枚の平板からなり、且つ前記固定部がフックに対応して板材に形成した一本の穴からなるものでもよい、
【考案の効果】
【００１１】  請求項１のポール立て装置では、上面にポールを立てる基部材下面に設けたフック部により、これを取り付け面の固定部に掛けるようにしたので、ポールを立てるための準備が簡単、確実になるばかりでなく、前記基部材下面に周囲に等分して設けた、下端に押圧部をもつねじ部材による前記取付け面の押圧固定も容易且つ確実となる効果がある。【００１２】  請求項２のフック部と固定部を用いるときは、両者とも形状が簡単であるので、製作が容易であるばかりでなく、フック部の固定部に対する引掛け、外しが容易であり、しかも引掛け時のフック部は外れにくい効果がある。【００１３】  請求項３のフック部と固定部を用いるときは、引掛けが固定部の中心でのみ行なわれるので操作が正確となり、安全である。【００１４】  請求項４のフック部と固定部を用いるときは、両者とも形状が簡単であるので、製作が容易であるばかりでなく、フック部の固定部に対する引掛け、外しが容易であり、作業がより迅速に行なわれる。
【考案を実施するための最良の形態】
【００１５】  以下、本考案の好適な実施形態を図面を参照して説明する。【００１６】  １は基部材で、図２に示すようにこの例では３本の腕部１ａ、１ｂ、１ｃを形成してその各先端に下端に押圧部２ａをもつねじ部材２ｂを備えるとともに、中心部の上面にポール３の支持部材４を、又下面にフック部５叉は６を備えている。【００１７】  前記支持部材４は、基部材１の中心に正確に溶接ｗした固定ナット４ａと締付けナット４ｂとからなり、ポール３を立てるときは、その下端に固定したねじ部３ａに締付けナット４ｂをねじ結合しておき、ねじ部３ａを固定ナット４ａにねじ結合した後締付けナット４ｂを締め付けてポール３を支持部材４に取り付けるのである。【００１８】  前記フック部材５、６は、固定部７、８に引掛けてポール３を固定するもので、順序として固定部７、８から説明すると、図４に示すものは、例えば艦船の甲板等においてロープを接続するために設けられたタイダウンホールと称するもので、ほぼ椀型の凹部７ａの縁に十字型の棒材７ｂを固定したものである。【００１９】  固定部７の十字型の棒材７ｂに引掛けるフック部材５は、図４に詳細を示すように、前記凹部７ａに嵌るやや厚鋼板製の円筒５ａに前記棒材７ｂの数、間隔、太さ等に応じて導入穴５ｂとこれに通ずる横に延びた保持穴５ｃを形成したものである。【００２０】図５に示す固定部８は、例えば厚めの蓋状の部材８ａの天井に十字型のスリット８ｂを形成したもので、フック部材６は厚めの板材をスリット８ｂに入るよう十字型に組み合わせてなる。【００２１】  次に、図１乃至図４に示す例により本考案のポール立て装置を使用する作業を説明すると（この場合ポール３は前記のように基部材１に支持部材４を介して連結されているものとして）、先ずねじ部材２ｂを緩めて押圧部２ａを一杯に引き上げた後、ポール３を掴んでフック５の円筒５ａを前記固定部７の凹部７ａに嵌め、回転しながら導入穴５ｂに固定部７の棒材７ｂを通し、次いで右に回転しつつこれに通ずる保持穴５ｃに棒材７ｂを導く。これによって、４本の棒材７ｂが、４つの保持穴５ｃに入るから、ここでねじ部材２ｂを右回転して押圧部２ａを固定部７の設定場所に圧着させ、ポール３を上昇させるようにすれば、フック５の保持穴５ｃ底面と棒材７ｂが密着し、ポール３はしっかりと固定される。【００２２】  ポール３を外すときは、前記鎖等をポール３から外しておき、ポール３を支えながらねじ部材２ｂを左回転して緩めていけば、前記フック５の保持穴５ｃの底部と固定部７の棒材７ｂとの圧着がとかれるから、ポール３を左回転して前記導入穴５ｂより固定部７の棒材７ｂを抜けばよい。【００２３】  図５に示す例においては同様に、先ずねじ部材２ｂを緩めて押圧部２ａを一杯に引き上げた後、ポール３を掴んでフック６の十字型の先を固定部８ａのスリット８ｂに合わせて挿入し、挿入後フック６を４５度回転する。【００２４】  この状態でねじ部材２ｂを右回転し、押圧部２ａを固定部８の設定場所に圧着させてポール３を上昇させるようにすれば、フック６の上面が蓋状部材８ａ内面に圧着し、ポール３が固定される。【００２５】  図５に示す例においてポール３を外すときは、前記鎖等をポール３から外しておき、���記同様にポール３を支えながらねじ部材２ｂを左回転して緩めれば、フック６の十字型と蓋状の部材８ａの天井との間に隙間ができるから、ここでポール３を左右どちらかに４５度回転すれば、フック６の十字型は固定部８ａのスリット８ｂから抜ける。
【図面の簡単な説明】
【００２６】
【図１】は本考案ポール立て装置の一部を破断して示す正面図である。
【図２】は本考案ポール立て装置の平面図である。
【図３】は本考案要部の拡大断面図である。
【図４】は本考案の一例におけるフック部と固定部を示す斜視図である。
【図５】は本考案の他の一例におけるフック部と固定部を示す斜視図である。
【符号の説明】
【００２７】１  基部材    １ａ、１ｂ、１ｃ  腕部２ａ  押圧部    ２ｂ  ねじ部材３  ポール    ３ａ  ねじ部４  支持部材    ４ａ  固定ナット    ４ｂ  締付けナット５  フック部材    ５ａ  円筒    ５ｂ  導入穴    ５ｃ  保持穴６  フック部材７  固定部    ７ａ  凹部    ７ｂ  棒材８  固定部    ８ａ  蓋状の部材    ８ｂ  スリット。
【図１】
0003171997.tif 000003
【図２】
0003171997.tif 000004
【図３】
0003171997.tif 000005
【図４】
0003171997.tif 000006
【図５】
0003171997.tif 000007
【図６】
0003171997.tif 000008
【図７】
0003171997.tif 000009
【図８】
0003171997.tif 000010
【図９】
0003171997.tif 000011
【図１０】
0003171997.tif 000012
【手続補正書】
【提出日】平成23年5月7日(2011.5.7)
【手続補正１】
【補正対象書類名】実用新案登録請求の範囲
【補正対象項目名】全文
【補正方法】変更
【補正の内容】
【実用新案登録請求の範囲】
【請求項１】
艦船の甲板等に一定配置を以って設置される、棒材を備えたタイダウンホールと、上面にポールを固定した略三角状の基部材の下面に前記棒材と係合するフック部を設け、且つ下端に押圧部をもつねじ部材を基部材の各腕に設けたポール機構と、該ポール機構の不使用時前記ホールを覆うホールキャップとから成ることを特徴とするポール立設及び撤去時安全装置。
【請求項２】
前記キャップの外し棒を備え、該外し棒を差し込む穴を前記ホールキャップに形成した請求項１記載のポール立設及び撤去時安全装置。
【手続補正３】
【補正対象書類名】明細書
【補正対象項目名】０００１
【補正方法】変更
【補正の内容】
【０００１】 この考案は、柱状体(ポール)をタイダウンホールを介して適宜間隔に立設し、その頂部又はその付近にてロープ、鎖などを張り、また、これを撤去した後、タイダウンホールを効果的に且つ安全に閉じることを可能としたポール立設及び撤去時安全装置に関する。
【手続補正４】
【補正対象書類名】明細書
【補正対象項目名】０００２
【補正方法】変更
【補正の内容】
【０００２】例えば、一部の艦船の甲板に設置されている艦上荷物固定用のタイダウンホールを利用して一定面積を確保したり、人の移動を一時的に規制するためのポール立て装置なるものがある（実用新案登録第３１５７５５９号）。
【手続補正５】
【補正対象書類名】明細書
【補正対象項目名】０００３
【補正方法】変更
【補正の内容】
【０００３】これは図１乃至図６に示すように、上面にポール２を固定した略三角状の基部材１の下面にフック部３を設けるとともに、下端に押圧部４をもつねじ部材５を基部材１の各腕１ａ〜１ｃに設け、使用時は、タイダウンホール６の棒材６ａを前記フック部３の導入穴３ａから保持穴３ｂに通して掛け、然る後ねじ部材５にて押圧部４を介して甲板等の取り付け面を押圧すれば、保持穴３ｂ底面と棒材６ａが圧着し、ポール２を立設することができるものである。
【手続補正６】
【補正対象書類名】明細書
【補正対象項目名】０００４
【補正方法】変更
【補正の内容】
【０００４】かくして、固定したポール２の頂部にはリング部材７を固定して図２のようにロープ８を渡して、簡便に所定箇所を仕切ることができる。
【手続補正７】
【補正対象書類名】明細書
【補正対象項目名】０００５
【補正方法】変更
【補正の内容】
【０００５】 ポール２を外すときは、前記ロープ８等をポール２のリング部材７から外しておき、ポール２を支えながらねじ部材５を左回転して緩めていけば、前記フック部３の保持穴３ｂ底面と前記棒材６ａとの圧着がとかれるから、ポール２を左回転して前記導入穴３ａより棒材６ａを抜けばよい。
【手続補正８】
【補正対象書類名】明細書
【補正対象項目名】０００６
【補正方法】変更
【補正の内容】
【０００６】 しかし、上記ポール立て装置を外したタイダウンホール６は、前記棒材６ａはあるものの歩行の際男性の靴の踵が引っ掛かったり、女性のヒールなどが落ち込んだりする支障がある。
【手続補正９】
【補正対象書類名】明細書
【補正対象項目名】０００７
【補正方法】変更
【補正の内容】
【０００７】 そこで、上記タイダウンホール６を蓋部材で覆えばよいのであるが、強度的に耐えると共に、ずれないものでなければならない。と同時にポール立て装置に付属的に在庫する必要がある。
【手続補正１０】
【補正対象書類名】明細書
【補正対象項目名】０００８
【補正方法】変更
【補正の内容】
【０００８】 よって、本考案はポールが簡単な操作で佇立、開放でき、また、ポール立て装置の不使用時には前記タイダウンホールを安全、効果的に覆うホールキャップを用意したポール立設及び撤去時安全装置を提供することを考案の課題とするものである。
【手続補正１１】
【補正対象書類名】明細書
【補正対象項目名】０００９
【補正方法】変更
【補正の内容】
【０００９】 前記課題を解決するため本考案は、艦船の甲板等に一定配置を以って設置される、棒材を備えたタイダウンホールと、上面にポールを固定した略三角状の基部材の下面に前記棒材と係合するフック部を設け、且つ下端に押圧部をもつねじ部材を基部材の各腕に設けたポール機構と、該ポール機構の不使用時前記ホールを覆うホールキャップとから成ることを特徴とするポールの立設及び撤去時安全装置である。
【手続補正１２】
【補正対象書類名】明細書
【補正対象項目名】００１０
【補正方法】変更
【補正の内容】
【００１０】そして、本考案では、前記ホールキャップの外し棒を備え、該外し棒を差し込む穴を前記ホールキャップに形成してもよい。
【手続補正１３】
【補正対象書類名】明細書
【補正対象項目名】００１１
【補正方法】変更
【補正の内容】
【００１１】 請求項１のポールの立設及び撤去時安全装置では、艦船の甲板等に一定配置を以って設置される、棒材を備えたタイダウンホールと、上面にポールを固定した略三角状の基部材の下面に前記棒材と係合するフック部を設け、且つ下端に押圧部をもつねじ部材を基部材の各腕に設けたポール機構と、該ポール機構の不使用時前記ホールを覆うホールキャップとから成るので、ポールを立てるための準備が簡単、確実になり、前記基部材下面に周囲に等分して設けた、下端に押圧部をもつねじ部材による前記取付け面への押圧固定も容易且つ確実となるばかりでなく、ポール機構をタイダウンホールから外した後、該ホールをホールキャップにより覆うようにしたので、簡単且つ安全に歩行できる効果がある。
【手続補正１４】
【補正対象書類名】明細書
【補正対象項目名】００１２
【補正方法】変更
【補正の内容】
【００１２】 請求項２の前記ホールキャップの外し棒を備え、該外し棒を差し込む穴を前記ホールキャップに形成したものを用いるときは、立ったままでの前記ホールキャップの取り外しが容易である。
【手続補正１５】
【補正対象書類名】明細書
【補正対象項目名】００１３
【補正方法】変更
【補正の内容】
【００１３】 以下、本考案の好適な実施形態を図面を参照して順次説明する。
【手続補正１６】
【補正対象書類名】明細書
【補正対象項目名】００１４
【補正方法】変更
【補正の内容】
【００１４】 まづ、ポール機構について述べると、１は基部材で、この例では３本の腕部１ａ、１ｂ、１ｃを形成してその各先端に、下端に押圧部４をもつねじ部材５を備えるとともに、中心部の上面にポール２の支持部１１を、又下面にフック部３を備えている。
【手続補正１７】
【補正対象書類名】明細書
【補正対象項目名】００１５
【補正方法】変更
【補正の内容】
【００１５】前記支持部材１１は、基部材１の中心に正確に溶接ｗした固定ナット１１ａと締付けナット１１ｂとからなり、ポール２を立てるときは、その下端に固定したねじ部２ａに締付けナット１１ｂをねじ結合しておき、ねじ部２ａを固定ナット１１ａにねじ結合した後締付けナット１１ｂを締め付けてポール２を支持部材１１に取り付けるのである。
【手続補正１８】
【補正対象書類名】明細書
【補正対象項目名】００１６
【補正方法】変更
【補正の内容】
【００１６】 前記フック部材３は、固定部６の棒材６ａに引掛けてポール２を固定するもので、順序として固定部６から説明すると、図５、６に示すものは、例えば艦船の甲板等においてロープを接続するために設けられたタイダウンホールと称するもので、ほぼ椀型の凹部（固定部）６の縁に十字型の棒材６ａを固定したものである。
【手続補正１９】
【補正対象書類名】明細書
【補正対象項目名】００１７
【補正方法】変更
【補正の内容】
【００１７】 固定部６の十字型の棒材６ａに引掛けるフック部３は、図６に詳細を示すように、前記凹部６に嵌る大きさのやや厚鋼板製の円筒３ｃに前記棒材６ａの数、間隔、太さ等に応じて導入穴３ａとこれに通ずる横に延びた保持穴３ｂを形成したものである。
【手続補正２０】
【補正対象書類名】明細書
【補正対象項目名】００１８
【補正方法】変更
【補正の内容】
【００１８】 次に、図１乃至図６に示す例により本考案のポール立て装置を使用する作業を説明すると(この場合ポール２は前記のように基部材１に支持部材１１を介して連結されているものとして)、先ずねじ部材５を緩めて押圧部４を一杯に引き上げた後、ポール２を掴んでフック部３の円筒３ｃを前記固定部６の凹部に嵌め、回転しながら導入穴３ａに固定部６の棒材６ａを通し、次いで右に回転しつつこれに通ずる保持穴３ｂに棒材６ａを導く。
【手続補正２１】
【補正対象書類名】明細書
【補正対象項目名】００１９
【補正方法】変更
【補正の内容】
【００１９】これによって、４本の棒材６ａが、４つの保持穴３ｂに入るから、ここでねじ部材５を右回転して押圧部４を固定部６の設定場所に圧着させ、ポール２を上昇させるようにすれば、フック部３の保持穴３ｂ底面と棒材６ａが圧着し、ポール２はしっかりと固定される。
【手続補正２２】
【補正対象書類名】明細書
【補正対象項目名】００２０
【補正方法】変更
【補正の内容】
【００２０】 ポール２を外すときは、前記鎖８等をポール３から外しておき、ポール２を支えながらねじ部材５を左回転して緩めていけば、前記フック３の保持穴３ｂの底部と固定部６の棒材６ａとの圧着がとかれるから、ポール２を左回転して前記導入穴３ａより固定部６の棒材６ａを抜けばよい。
【手続補正２３】
【補正対象書類名】明細書
【補正対象項目名】００２１
【補正方法】変更
【補正の内容】
【００２１】 前記固定部６の棒材６ａとしては、荷重を効果的に支持するために、図５のように、棒材６ａの中心とタイダウンホール６の中心を連結する縦材６ｂを設けるとよい。
【手続補正２４】
【補正対象書類名】明細書
【補正対象項目名】００２２
【補正方法】変更
【補正の内容】
【００２２】 次に固定部６を塞ぐタイダウンホールキャップ１０は、図７、図８に示すように、タイダウンホール６に合わせて円形に成形した厚さ２、３ミリメートルの鋼板の一面に、前記棒材６ａのすべてに弾発的に跨るように十字に配置した跨状片１０ａ〜１０ｄを溶接にて取り付けるとともに、周囲の１、２箇所（図７の例では９０度間隔で２箇所）に図９に示す外し棒１２の先端１２ａが差し込める穴１０ｅ、１０ｆを形成したものである。
【手続補正２５】
【補正対象書類名】明細書
【補正対象項目名】００２３
【補正方法】変更
【補正の内容】
【００２３】 従って前記ポール２が不要となったときは、前記のようにポール２を外した後タイダウンホール（固定部）６にタイダウンホールキャップ１０をかぶせ、このとき前記跨状片１０ａ〜１０ｄを十字に配置された前記棒材６ａ上に載せ、押圧して跨状片１０ａ〜１０ｄを棒材６ａに弾発的に跨らせる。これによってタイダウンホールキャップ１０は棒材６ａ上に弾発的に固定することができる。
【手続補正２６】
【補正対象書類名】明細書
【補正対象項目名】００２４
【補正方法】変更
【補正の内容】
【００２４】 再びポール２をタイダウンホール（固定部）６に立てようとするときは、前記外し棒１２によりその先端をタイダウンホールキャップ１０の前記差し込み穴１０ｅ又は１０ｆに差し込み、ホールキャップ１０を跨状片１０ａ〜１０ｄの弾発力に抗して引き上げればよい。
【手続補正２７】
【補正対象書類名】明細書
【補正対象項目名】００２５
【補正方法】変更
【補正の内容】
【００２５】 上記ポール機構、タイダウンホールキャップ１０及び外し棒１２は、格納の際まとめておけば、使用に際して混乱がない。
【手続補正２８】
【補正対象書類名】明細書
【補正対象項目名】００２６
【補正方法】変更
【補正の内容】
【００２６】
【図１】は本考案ポール設立及び撤去時安全装置の全体を示す斜視図である。
【図２】は本考案ポール機構をタイダウンホール（固定部）に立設しロープ等を張った状態を示す斜視図である。
【図３】は本考案ポール機構の立設状態を示す一部断面正面図である。
【図４】は図３のポール機構における支持部材以下を示す平面図である。
【図５】は図３のポール機構におけるフック部を中心とする下部詳細図である。
【図６】は本考案のフック部と固定部を示すの詳細斜視図である。
【図７】は本考案タイダウンホールキャップの裏面図である。
【図８】は本考案タイダウンホールキャップの正面図である。
【図９】は本考案タイダウンホールキャップの跨状片が固定部の棒材に弾発的に跨がった状態を示す図である。
【図１０】は外し棒の全体図である。
【手続補正２９】
【補正対象書類名】明細書
【補正対象項目名】００２７
【補正方法】変更
【補正の内容】
【００２７】１  基部材    １ａ、１ｂ、１ｃ  腕部２  ポール３  フック部    ３ａ  導入穴    ３ｂ  保持穴    ３ｃ  円筒４  押圧部５  ねじ部材６  タイダウンホール（固定部）    ６ａ  棒材    ６ｂ  縦材７  リング部材８  ロープ、鎖１０  タイダウンホールキャップ    １０ａ〜１０ｄ  跨状片１１  ポール支持部    ２ａ  固定ナット    ２ｂ  締付けナット１２  外し棒。
【手続補正書】
【提出日】平成23年9月7日(2011.9.7)
【手続補正１】
【補正対象書類名】実用新案登録請求の範囲
【補正対象項目名】全文
【補正方法】変更
【補正の内容】
【実用新案登録請求の範囲】
【請求項１】
艦船の甲板等に一定配置を以って設置される、棒材６ａを備えたタイダウンホール６と、上面にポール２を固定した三つの腕１ａ〜１ｃをもつ略三角状の基部材１の下面に前記棒材６ａと係合するフック部３を設け、且つ下端に作動時甲板等を押す押圧部４をもつねじ部材５を基部材１の前記各腕１ａ〜１ｃに設けたポール機構と、該ポール機構の不使用時前記ホール６を覆うホールキャップ１０とから成ることを特徴とするポール立設及び撤去時安全装置。
【請求項２】
前記キャップの外し棒１２を備え、該外し棒１２を差し込む穴１０ｅ、１０ｆを前記ホールキャップ１０に形成した請求項１記載のポール立設及び撤去時安全装置。